(57)【要約】【課題】当選確率の設定情報を読み取る不正行為を防止することができる。【解決手段】内部抽選の当選確率の設定情報を表示するための設定表示器６０と、当選確率を設定する主制御基板１００と設定表示器６０との間の設定情報信号のやり取りに必要な配線とを、主制御基板１００上に配設することにより、主制御基板１００と共に透明な筐体で、遊技機の奥側に配設される主制御基板ケース１０で覆われ、外部から触れることが制限されることとなる。これにより、当選確率の設定値を特別な装置に表示させる、または遊技機の表示器に強制的に表示されるような不正行為を防止することができる。【選択図】図３
2008086645.tif 000002
【特許請求の範囲】
【請求項１】
抽選遊技を含む所定の遊技仕様に基づく遊技実行制御プログラムが記憶されると共に、当該遊技実行制御プログラムに基づいて遊技の実行を制御する主制御基板と、
前記主制御基板に前記遊技実行制御プログラムの一部として記憶されている前記抽選遊技の際の当選確率の設定情報を表示する表示装置と、
前記主制御基板に取り付けられた電子部品並びにその配線部材に触れることを制限すると共に、当該電子部品並びにその配線部材が目視可能な主制御基板用筐体と、
少なくとも前記表示装置、並びにこの前記表示装置と前記主制御基板との間の配線を覆い、かつ前記表示装置の設定情報表示面を目視可能とする被覆手段と、
を有する遊技機。
【請求項２】
前記表示装置が、前記主制御基板に直に取り付けられており、前記主制御基板用筐体が、前記被覆手段を兼ねることを特徴とする請求項１記載の遊技機。
【発明の詳細な説明】
【技術分野】
【０００１】
本発明は、メダル、コイン、遊技球等を遊技媒体として使用するスロットマシン等の遊技機に関するものである。
【背景技術】
【０００２】
従来より、遊技機、特に回胴式遊技機（パチスロ機やパロット（登録商標）機）では、所定数の遊技媒体（メダルやパチンコ球）を投入し、始動レバーを操作することで、抽選を実行し、周面に複数の図柄が表示された複数列（通常３列）の図柄変動リール（図柄列表示手段）を回転させるようにしている。
【０００３】
始動レバーによって回転を開始した図柄変動リールは、それぞれに対応して設けられた停止ボタンを操作することで、基本的に、ほぼ遊技者の意図する時期に停止させることができる。
【０００４】
ここで、前記始動レバーの操作時に、内部抽選が実行され当たり／外れが決められており、遊技者が停止ボタンにより各図柄変動リールの停止操作を行い、当該内部抽選に当選している場合に、当該当選に対応する図柄が揃った時点で権利行使がなされる。
【０００５】
当たりには小役と大役とがあり、小役当選の権利行使は、遊技者の操作に基づいて所定の当たり図柄（小役図柄）が停止表示されることで入賞となり、予め設定された遊技媒体の配当が実行される。
【０００６】
ところで、上記回胴式遊技機では、遊技場は営業時間外に、遊技場などの方針に基づいて、回胴式遊技機１台ずつに内部抽選の当選確率の設定を変更している。この設定は、当選確率が相対的に低い設定値１（すなわち、遊技者に不利）から、当選確率が相対的に高い設定値６（すなわち、遊技者に有利）の６段階となっており、獲得する遊技媒体（遊技メダル等）の数に大きな差が生じる場合がある。
【０００７】
また、この設定値は、遊技実行制御プログラム等、重要な情報が記憶されたＩＣチップ等を搭載する主制御基板によって、実行されるものである。主制御基板は、透明の筐体で覆われており、外部から触れることが制限され、不正行為を未然に防止している。
【０００８】
当選確率の設定変更は、営業時間（遊技中）に行わないため、その設定値の確認手段として、遊技用の表示器等を利用して当選確率の設定値を表示し、目視で確認している。
【０００９】
そこで、従来、回胴式遊技機の前扉の裏面に当選確率の設定値を表示させる表示器を有する回胴式遊技機が提案されている（特許文献１参照）。
【特許文献１】特許第２６５７３４８号公報
【発明の開示】
【発明が解決しようとする課題】
【００１０】
しかしながら、遊技機の当選確率の設定、メダル払出、役抽選などは不正行為防止上の観点から遊技機筐体の奥側に配設され、かつ外部から触れることが制限されている主制御基板で制御される。そのため、メダル払出枚数表示器まで、主制御基板に実装されているＣＰＵから直接、又はサブ制御基板などを経て、当選確率の設定情報を送ることが必要となる。これにより、当選確率の設定値を特別な装置に表示させる、又は遊技機の表示器に強制的に表示させるような不正な行為を招くことがある。
【００１１】
本発明は上記事実を考慮し、当選確率の設定情報を読み取る不正行為を防止することができる遊技機を得ることが目的である。
【課題を解決するための手段】
【００１２】
請求項１に記載の発明は、抽選遊技を含む所定の遊技仕様に基づく遊技実行制御プログラムが記憶されると共に、当該遊技実行制御プログラムに基づいて遊技の実行を制御する主制御基板と、前記主制御基板に前記遊技実行制御プログラムの一部として記憶されている前記抽選遊技の際の当選確率の設定情報を表示する表示装置と、前記主制御基板に取り付けられた電子部品並びにその配線部材に触れることを制限すると共に、当該電子部品並びにその配線部材が目視可能な主制御基板用筐体と、少なくとも前記表示装置、並びにこの前記表示装置と前記主制御基板との間の配線を覆い、かつ前記表示装置の設定情報表示面を目視可能とする被覆手段と、を有している。
【００１３】
請求項１に記載の発明によれば、遊技の際の当選確率が設定される主制御基板は、外部からの接触を遮断すると共に、目視できるように形成された主制御基板用筐体の内部ある。主制御基板と表示装置との設定情報のやり取りに必要な配線と、表示装置とが、主制御基板用筐体と同様に外部からの接触を制限すると共に、目視可能な被覆手段により覆われることにより、外部からの不正行為を防止することができる。
【００１４】
請求項２に記載の発明は、前記請求項１に記載の発明において、前記表示装置が、前記主制御基板に直に取り付けられており、前記主制御基板用筐体が、前記被覆手段を兼ねることを特徴としている。
【００１５】
請求項２に記載の発明によれば、表示装置が主制御基板に取り付けられることにより、主制御基板と表示装置との設定情報のやり取りに必要な配線が、主制御基板上のプリント配線でなされる。主制御基板は主制御基板用筐体の内部にあることから、主制御基板用筐体によって外部からの不正行為を防止する構成とすることができる。
【発明の効果】
【００１６】
以上説明した如く本発明では、当選確率の設定情報を読み取る不正行為を防止することができるという優れた効果を有する。
【発明を実施するための最良の形態】
【００１７】
（パチスロ機の概略構成）
図１に示される如く、パチスロ機３００は、本体３０２と、本体３０２の正面に設けられた開閉カバーとしての操作兼装飾部３０３とを備えて構成されている。
【００１８】
操作兼装飾部３０３は、上から装飾部３０４、操作部３０６、払出部３１０に分類することができる。
【００１９】
装飾部３０４は、内部でバックライト部（図示省略）が点灯することで、印刷された絵や文字が透過照明される表示パネル部３１２が取り付けられている。また、装飾部３０４の一部として、前記装飾部３０４の上部には、立体的な装飾ランプ３０４Ａも左右方向に設けられている。また、装飾ランプ３０４Ａ近傍には、演出用の効果音等を再生するためのスピーカ３０５Ｒ、３０５Ｌが設けられている。
【００２０】
装飾部３０４の表示パネル部３１２は、演出用の画像を表示するための液晶表示装置（ＬＣＤ）３１３と、リール表示図柄を表示するための表示窓３１４とを備えている。表示窓３１４は、前記表示パネル部３１２と一体成型される透明領域で構成されている。
【００２１】
この表示窓３１４の内部には、３個のリール３５０Ａ、３５０Ｂ、３５０Ｃを主要部として構成された図柄変動部３１６が配設されている。
【００２２】
また、表示窓３１４の下部には、このパチスロ機３００の遊技媒体であるメダルの払出枚数を表示する７セグメント表示部３１５Ａ、ジャックゲーム残回数の表示等を行う表示部３１５Ｂ、クレジット枚数を表示する７セグメント表示部３１５Ｃが設けられている。
【００２３】
操作部３０６は、その上部が手前に突き出ており、この突き出し部分の上面の右端部にはメダル投入部３２０が設けられ、また、上面左端部から順にクレジットの払い戻しをする際に押下操作される精算ボタン１０３、１枚ベット（投入）ボタン３５２Ａ、マックスベット（最大投入）ボタン３５２Ｂが設けられている。また、突き出し部分には前面左端部から順に指導レバー３５４、停止ボタン３５６Ａ、３５６Ｂ、３５６Ｃ等が設けられている。
【００２４】
払出部３１０は、メダル排出口３２６と、このメダル排出口３２６から排出されるメダルを受け入れる受け皿３２８とを備えている。
【００２５】
３個のリール３５０Ａ、３５０Ｂ、３５０Ｃは、回転することで図柄が順次前記表示窓３１４から見えるようになっている。回転方向は、表示窓３１４では、図柄図１の上から下に移動するように見える。
【００２６】
前記停止ボタン３５６Ａ、３５６Ｂ、３５６Ｃは、図柄変動部３１６下部に設けられており、各リール３５０Ａ、３５０Ｂ、３５０Ｃに対応している。すなわち、対応するそれぞれのリール３５０Ａ、３５０Ｂ、３５０Ｃの回転を遊技者による停止ボタン３５６Ａ、３５６Ｂ、３５６Ｃの操作で停止させることができる。
【００２７】
ここで、リール３５０Ａ、３５０Ｂ、３５０Ｃの回転を停止した場合に表示窓３１４から見える図柄のうち、中行に並んだ図柄の中心を結ぶライン、上行に並んだ図柄の中心を結ぶライン、下行に並んだ図柄の中心を結ぶラインと、２本の対角線上に並んだ図柄の中心をそれぞれ結ぶ２本のラインとの５本の有効ライン上に停止した図柄の組み合わせが遊技の結果を示す。
【００２８】
なお、５本のラインの内、どのラインが有効ラインとされるかはメダルの投資数によって決まり、１枚のメダルがベットされた場合は中行に並んだ図柄の中心を結ぶラインが有効ラインとされ、３枚のメダルがベットされた場合は全てのラインが有効ラインとされる。
【００２９】
また、この停止ボタン３５６Ａ、３５６Ｂ、３５６Ｃの左側に設けられた始動レバー３５４を操作（傾倒）することで、各リール３５０Ａ、３５０Ｂ、３５０Ｃが回転を開始するようになっている。なお、この回転は、通常は３個のリール３５０Ａ、３５０Ｂ、３５０Ｃが同時あるいは僅かな時間差をおいて回転を開始するようになっている。
【００３０】
さらに、この始動レバー３５４による操作タイミングは、内部抽選のタイミングとなっており、当該始動レバー３５４の操作によって、当たり（役当選）／外れが決定するようになっている。
【００３１】
また、前記ラインの内、上行に横一直線に並ぶラインを、停止制御（滑り制御を含む）の基準ラインとしている。すなわち、この基準ラインと、当該基準ライン上に位置する図柄の中心線との位置関係で、停止制御を行っている。
【００３２】
図柄と図柄の間でリール３５０Ａ、３５０Ｂ、３５０Ｃが停止することはなく、必ず図柄ピッチで停止制御されるようになっている。
【００３３】
さらに、詳しくは、現在、基準ライン上にある第１の図柄の中心線が基準ラインを超えた時点で停止操作があった場合は、リール３５０Ａ、３５０Ｂ、３５０Ｃを逆転させることはできないので、超えた直後から次の第２の図柄の中心線が基準ラインと一致するまでの間は、当該第２の図柄を停止させる制御（最大図柄ピッチ未満）が所謂ビタ止めの基準となる。
【００３４】
図２は、本実施の形態のパチスロ機３００の操作兼装飾部３０３（図１参照）を外したときの内部構造を正面から見た概略構成図である。
【００３５】
図２に示される如く、本体３０２には、上部に主制御基板１００が配設され、その下部に前述した図柄変動部３１６を構成する３個のリール３５０Ａ、３５０Ｂ、３５０Ｃが配設されている。さらに、本体３０２の下部にはメダルが払い出されるホッパー１０４が設けられている。また、リール３５０Ａの左側部にサブ制御基板１０２が設けられている。
【００３６】
主制御基板１００は、透明の主制御基板ケース１０に覆われており、この主制御基板ケース１０によって覆われている状態では、主制御基板１００並びに主制御基板１００に接続される配線等に手を触れることができない構成となっている。
【００３７】
図３は、本実施の形態に係る主制御基板１００と、主制御基板１００を覆う主制御基板ケース１０の構成を示している。
【００３８】
主制御基板１００は、主制御基板ケース１０で覆われている。主制御基板ケース１０は、ケースベース１２と、ケースカバー１４とを備えている。
【００３９】
主制御基板１００は、電子部品のうちで外部から接続又は操作の必要な電子部品として複数のコネクタ１６が主制御基板１００の一端側に配設され、複数のコネクタ１６以外のＣＰＵ、ＲＯＭ、ＲＡＭ、入力インターフェース、出力インターフェース、抵抗器、コンデンサ等の種々の電子部品１８が、他端側に配設されている。
【００４０】
主制御基板１００の四隅には、ねじ挿入孔２０が、主制御基板１００の表面と裏面とへの貫通孔として形成される。
【００４１】
ケースベース１２は、透明の素材で形成され、底板２２、周壁２４、支持台２６、ねじ取付孔２８、ベース側係合部３０、突壁３２を備えた、一体形状となっている。
【００４２】
底板２２は、主制御基板１００より大きな矩形で、周壁２４は、底板２２の周縁には周壁２４が形成され、周壁２４で囲まれた矩形の開口は、主制御基板１００の外周より大きくなっている。周壁２４の長手方向の一端は突壁３２となっており、突壁３２の外部にはベース側係合部３０が設けられている。
【００４３】
支持台２６は、底板２２の四隅にケースカバー１４と向き合う方向に突出している。支持台２６におけるケースカバー１４と向き合う方向に位置する上面は、底板２２の表面と平行となっている。支持台２６の底板２２からの高さは、周壁２４の底板２２からの高さよりも低く、これにより、主制御基板１００の四隅が支持台２６の上面に載せると、主制御基板１００は底板２２と平行な方向で対向するように、周壁２４に囲まれた開口内部に収納される。
【００４４】
ケースベース１２の四隅には、ねじ取付孔２８がある。
【００４５】
ベース側係合部３０は、ケースカバー１４を開閉可能に支持するために、突壁３２の長手方向と並行する方向に、突壁３２の外側に突出するように一対として設けられ、貫通孔としての支持孔３４を有する筒状となっている。
【００４６】
ケースカバー１４は、透明の素材で形成され、カバー３６、周壁３８、拡張部４０、ねじ挿入孔４２、カバー側係合部４４を備えた一体形状となっている。
【００４７】
カバー３６の一端は、主制御基板１００に配設された複数のコネクタ１６がケースカバーから突出するための部品挿入孔４６があり、他端はその内包空間に主制御基板１００に配設された電子部品１８を格納できるように内包空間が拡張された拡張部４０となっている。主制御基板１００にケースカバー１４が閉じられると、複数のコネクタ１６は上記ケースカバー１４の部品挿入孔４６から突出するようになり、主制御基板ケース１０覆われてもコネクタ１６を操作することができる。コネクタ１６以外の電子部品１８は主制御基板ケース１０に覆われることになる。
【００４８】
ねじ挿入孔４２は、部品挿入孔４６がある側の隅の２箇所に設けられ、カバー３６に、カバー３６の表面から裏面への貫通孔として形成されている。
【００４９】
カバー側係合部４４は、ケースカバー１４を開閉可能に支持するために、拡張部４０の周壁３８の長手方向と並行する方向に、周壁３８の外側に突出するように一対に配設され、貫通孔としての支持孔４８を有する筒状となっている。
【００５０】
ベース側係合部３０とカバー側係合部４４を連結する軸５０は、ベース側係合部３０の支持孔２８とカバー側係合部４４の支持孔４８とに挿入する棒であり、一端部に棒の外形よりも大きな外形で設けられた頭部５２と、棒の他端部に棒の外周面から内部に窪む環状に設けられた溝５４とを備える。頭部５２と溝５４との間における軸５０の長さは、ベース側係合部３０とカバー側係合部４４とが互いに組み合わされた長さよりも長くなっている。止め輪５６は、軸５０の溝５４に装着されることにより、軸５０がベース側係合部３０とカバー側係合部４４とから脱落するのを防止する。
【００５１】
主制御基板１００の電子部品１８側にある２箇所のねじ挿入孔２０と、ケースベース１２の突壁３２側のねじ取付孔２８とを固定するためにねじ止め５７がある。ケースカバー１４のねじ挿入孔４２と、主制御基板１００のコネクタ１６側にある２箇所のねじ挿入孔２０と、ケースベース１２の突壁３２に対向する側のねじ取付孔２８とがねじ止め５８によって固定される。
【００５２】
ここで、本実施の形態では、主制御基板ケース１０に収容された主制御基板１００の上面に７セグメント表示からなる設定表示装置６０が配設されている。この設定表示装置６０は、主制御基板１００に直に取り付けられており、リード線等の配線がない状態でも主制御基板１００のパターン配線によって、電子部品１８にある図示しないＣＰＵとの信号のやり取りが可能となっている。この設定表示装置６０は、主制御基板１００で設定される内部抽選の当選確率が相対的に低い設定値１（つまり、遊技者に不利）から、当選確率が相対的に高い設定値６（つまり、遊技者に有利）の６段階の設定情報を表示するようになっている。
【００５３】
このとき、主制御基板１００が主制御基板ケース１０に覆われることにより、これと同時に設定表示器６０が主制御基板ケース１０に覆われる。また、主制御基板ケース１０に覆われた状態で設定表示器６０の表示面を見ることができる。
【００５４】
以下に本実施の形態の作用を説明する。
【００５５】
主制御基板１００をケースベース１２の支持台２６の上に置いて、主制御基板１００のねじ挿入孔２０と、ケースベース１２のねじ取付孔２８とを同軸とする。ケースベース１２の突壁３２側にあるねじ挿入孔２０とねじ取付孔２８とを、止めねじ５７によって固定する。
【００５６】
ケースベース１２の周壁２４に囲まれた開口とケースカバー１４の周壁３８で囲まれた開口とが互いに向き合うようにし、ベース側係合部３０とカバー側係合部４４とを互いに組み合わせて、ベース側係合部３０の支持孔３４とカバー側係合部４４の支持孔４８とを同軸上とする。
【００５７】
軸５０は、一方のカバー側係合部４４の支持孔４８からベース側係合部３０の支持孔３４を経由して他方のカバー側係合部４４の支持孔４８に挿入し、軸５０の頭部５２は一方のカバー側係合部４４の縁に接して止まる。このとき、軸５０の溝５４は他方のカバー側係合部４４から突出し、止め輪５６を軸５０の溝５４に装着する。ケースベース１２とケースカバー１４とが、ベース側係合部３０とカバー側係合部４４とを連結した軸５０を中心として、開閉可能に連結される。
【００５８】
主制御基板１００が置かれたケースベース１２の上にケースカバー１４を置く。ケースカバー１４のねじ挿入孔４２を、主制御基板１００の複数のコネクタ１６がある側の主制御基板１００のねじ挿入孔２０と、ケースベース１２のねじ取付孔２８とを同軸とし、止めねじ５８によって固定する。
【００５９】
このように主制御基板１００を主制御基板ケース１０で覆うことにより、外部から不正をすることができなくなる。その主制御基板１００の上に、当選確率の設定値を表示する設定表示装置６０を設けたので、設定表示装置６０とその設定表示装置６０までの配線とが主制御基板１００と同様に密閉されることになる。これにより、外部から設定表示装置６０や、設定表示装置６０への配線を通して当選確率の設定を不正に読み取ることを防止することができる。
【００６０】
なお、本実施の形態では、主制御基板ケースで覆われた主制御基板上に当選確率の設定情報を表示する設定表示器と、その設定表示器と主制御基板との間で実行される信号のやり取りに必要な配線を主制御基板上に設けたが、設定表示器を主制御基板ケースの外に設ける際には、図４に示すように、独立した透明な筐体６２で、配線６４を含めて設定表示器６０を覆う必要がある。
【００６１】
また、主制御基板から当選確率の設定値を表示する設定表示器への配線を複雑にする等、配線を分からない構造とすることにより、不正行為を防止することもできる。
【図面の簡単な説明】
【００６２】
【図１】本実施の形態に係るパチスロ機の斜視図である。
【図２】本実施の形態に係るパチスロ機の本体内部を正面から見た概略構成図である。
【図３】本実施の形態に係る主制御基板と基板ケースの斜視図である。
【図４】変形例に係る主制御基板ケースと設定表示器を覆う筐体とを示す概略図である。
【符号の説明】
【００６３】
１０  主制御基板ケース（主制御基板用筐体、被覆手段）
６０  設定表示装置（表示装置）
１００  主制御基板
３００  パチスロ機（遊技機）
【図１】
2008086645.tif 000003
【図２】
2008086645.tif 000004
【図３】
2008086645.tif 000005
【図４】
2008086645.tif 000006